(57)【要約】【課題】  サスペンションシリンダ内の油液温度を検出して流量制御を行うことにより、車両走行時の振動を安定して緩衝することができるようにする。【解決手段】  左，右の前懸架シリンダ８Ｌ，８Ｒ、左，右の後懸架シリンダ１１Ｌ，１１Ｒ内の油室圧力を圧力センサ１８Ｌ，１８Ｒ，１９Ｌ，１９Ｒで検出する。また、前懸架シリンダ８Ｌ，８Ｒ、後懸架シリンダ１１Ｌ，１１Ｒの油室Ａ等に給排される油液の温度を温度センサ２０Ｌ，２０Ｒ，２１Ｌ，２１Ｒで検出する。そして、制御装置２２は、これらの圧力センサ１８Ｌ，１８Ｒ，１９Ｌ，１９Ｒ、温度センサ２０Ｌ，２０Ｒ，２１Ｌ，２１Ｒから読込んだ夫々の検出信号に従って、流量制御弁１４Ｌ，１４Ｒ，１７Ｌ，１７Ｒの開度を独立して可変に制御し、走行条件に応じた適正な減衰力を発生できるようにしている。【選択図】        図３
2009023595.tif 000002
【特許請求の範囲】
【請求項１】
左，右の前車輪、左，右の後車輪によって自走可能となり運搬対象物を積載する荷台が設けられた車体と、前記各車輪と該車体との間にそれぞれ設けられ各車輪上で該車体を懸架する複数のサスペンションシリンダと、該各サスペンションシリンダ毎にそれぞれ設けられ内部に蓄圧した油液を該各サスペンションシリンダの油室に給排する複数のアキュムレータと、該各アキュムレータと各サスペンションシリンダとの間にそれぞれ設けられ各サスペンションシリンダの油室に給排する油液の流量を可変に制御する複数の流量制御弁とからなる運搬車両のサスペンション装置において、
前記サスペンションシリンダに設けられ前記油室内の圧力を検出する圧力検出手段と、
前記サスペンションシリンダに設けられ前記油室に給排される油液の温度を検出する油温検出手段と、
前記圧力検出手段および油温検出手段からの検出信号に従って前記流量制御弁の開度を可変に制御する制御手段とを備える構成としたことを特徴とする運搬車両のサスペンション装置。
【請求項２】
前記圧力検出手段および油温検出手段は、左，右の車輪側に位置する左，右のサスペンションシリンダ毎にそれぞれ設け、前記制御手段は、前記各圧力検出手段および各油温検出手段からの検出信号に従って前記各流量制御弁を個別に切換制御する構成としてなる請求項１に記載の運搬車両のサスペンション装置。
【請求項３】
前記制御手段は、左，右のサスペンションシリンダ間の圧力差を前記各圧力検出手段から読込み、この圧力差が既定の圧力差よりも大きいときには前記流量制御弁を閉弁し、既定の圧力差よりも小さいときには前記各油温検出器で検出した油液の温度を基準温度と比較し、その比較結果に従って前記流量制御弁の開度を変えると共に前記油室内の圧力に基づいて決められた開度となるように制御する構成としてなる請求項２に記載の運搬車両のサスペンション装置。
【請求項４】
前記車体の前，後方向の加速度を検出する加速度検出手段を備え、前記圧力検出手段および油温検出手段は、前車輪，後車輪側のサスペンションシリンダ毎にそれぞれ設け、前記制御手段は、前記加速度検出手段、各圧力検出手段および各油温検出手段からの検出信号に従って前記各流量制御弁を個別に切換制御する構成としてなる請求項１，２または３に記載の運搬車両のサスペンション装置。
【請求項５】
前記制御手段は、前記加速度検出手段から読込んだ前，後方向の加速度が既定の加速度よりも大きいときに車両の発進，加速時と判定し、この発進，加速時には、前，後のサスペンションシリンダのうち後輪側に位置する油温検出器で検出した油液の温度を基準温度と比較し、その比較結果に従って後輪側の流量制御弁の開度を変えると共に前記後輪側のサスペンションシリンダの油室内圧力に基づいて決められた開度となるように制御する構成としてなる請求項４に記載の運搬車両のサスペンション装置。
【請求項６】
前記制御手段は、前記加速度検出手段から読込んだ前，後方向の加速度が他の既定の加速度よりも小さいときに車両の減速時と判定し、この減速時には、前，後のサスペンションシリンダのうち前輪側に位置する油温検出器で検出した油液の温度を基準温度と比較し、その比較結果に従って前輪側の流量制御弁の開度を変えると共に前記前輪側のサスペンションシリンダの油室内圧力に基づいて決められた開度となるように制御する構成としてなる請求項４または５に記載の運搬車両のサスペンション装置。
【発明の詳細な説明】
【技術分野】
【０００１】
本発明は、例えば採掘場、石切り場、鉱山等で採掘した砕石物または掘削した土砂等を運搬するダンプトラック等の車両に好適に用いられる運搬車両のサスペンション装置に関する。
【背景技術】
【０００２】
一般に、ダンプトラックと呼ばれる大型の運搬車両は、車体のフレーム上に起伏可能となったベッセル（荷台）を備え、このベッセル上に砕石物または土砂等の運搬対象物を多量に積載した状態で、例えば集荷場等に向けて運搬、搬送するものである（例えば、特許文献１参照）。
【０００３】
【特許文献１】特開２００１−１０５９５４号公報
【０００４】
また、作業車両のサスペンション装置としては、自走可能な車体と、車輪側の車軸と該車体との間にそれぞれ設けられ該車体を車輪上で懸架する複数のサスペンションシリンダと、該各サスペンションシリンダの伸縮を制御する制御手段等とを備えたものが知られている（例えば、特許文献２，３参照）。
【０００５】
【特許文献２】特開平５−２１３０２５号公報
【特許文献３】特開平９−７１１１７号公報
【０００６】
そして、この種の従来技術によるサスペンション装置では、車両のプロペラシャフト近傍等に走行速度を検出するための回転センサを設け、該回転センサからの検出信号に基づいて車両が走行中であるか否かを検出し、車両の走行中にはサスペンションシリンダの伸縮を許すことにより、車両の振動を緩衝できるようにしている。
【０００７】
一方、車両を駐車、停車している状態では、例えば荷物等を車両に積載する積荷作業、または土砂の掘削作業等を行うことがあるので、このような駐車・停車時には、サスペンションシリンダをロックして伸縮動作を規制することにより、前記積荷作業、掘削作業時等において車両が前，後方向、左，右方向等に傾いてしまうのを防止する構成としている。
【発明の開示】
【発明が解決しようとする課題】
【０００８】
ところで、上述した従来技術によるサスペンション装置では、回転センサ等を用いて車両の走行，停止を検出し、その検出結果に基づいてサスペンションシリンダの伸縮，ロックを制御する構成としている。このため、車両の走行時における乗り心地を向上させる上で、油液の温度変化に伴って下記のような問題が生じることがある。
【０００９】
即ち、車両の懸架機構として用いるサスペンションシリンダは、例えばアキュムレータ内に蓄圧した油液（圧油）をサスペンションシリンダの油室に給排するときに、流通する油液に対し流量制御弁等で絞り抵抗を与えることにより、車両の振動を緩衝し、乗り心地を良好に保つように構成している。
【００１０】
しかし、サスペンションシリンダ（油室）内に収容される油液は、大きな重量の車体を下側から支えるために高圧状態にさらされることが多く、このために油液の温度は無視できないレベルまで上昇することがある。そして、油液の温度が上昇すると、油液の粘性が低下して前記絞り抵抗が変化してしまう。
【００１１】
このため、車両を長い時間にわたって運転（稼働）していると、運転開始直後に比較して油液の温度が大きく変動し、これに伴って油液の絞り抵抗が変化してしまう。この結果、サスペンションシリンダの油液による緩衝作用が低下することがあり、車両の乗り心地を良好に保つのが難しくなるという問題がある。
【００１２】
特に、鉱山の砕石場等を走行するダンプトラック等の運搬車両は、作業現場の路面に凹凸等が多い悪路条件下での走行を繰返すため、サスペンションシリンダ（油室）内の油液は、温度上昇し易くなり、これによって振動の緩衝作用が低下し、乗り心地を悪くする原因になるという問題がある。
【００１３】
また、このような運搬車両では、荷台上に多量の運搬対象物（砕石等）を積載するために、左，右の後車輪をそれぞれ複数個のタイヤを用いて構成する場合が多い。そして、複数個のタイヤを用いた場合には、左，右の後輪側サスペンション間の間隔が必然的に狭められることになり、このために車両の後輪側では左，右方向の揺れ（ローリング）を左，右のサスペンションで緩衝するのが難しくなるという問題がある。
【００１４】
さらに、ダンプトラック等の運搬車両は、車体のフレーム上に設けたベッセル（荷台）に、砕石物または土砂等の運搬対象物を多量に積載するため、例えば一般の乗用車等に比較して車両の重心が高くなる傾向があり、前，後の車輪間の間隔(ホイールベース)も相対的には短くなっている。
【００１５】
このため、車両の発進・加速時には、車両の前輪側が浮上がる現象（所謂スクワットと呼ばれる現象）が発生し易く、車両の減速・急停車時には、車両の前輪側が沈み込む現象（所謂ノーズダイブと呼ばれる現象）が発生し易く、これによって車両の乗り心地が悪くなるという問題がある。
【００１６】
本発明は上述した従来技術の問題に鑑みなされたもので、本発明の目的は、サスペンションシリンダ内の油液温度を監視することにより、車両走行時の振動を安定して緩衝することができ、乗り心地を向上することができるようにした運搬車両のサスペンション装置を提供することにある。
【００１７】
また、本発明の他の目的は、車両の走行時における左，右方向の揺れ（ローリング）を良好に減衰することができ、乗り心地の向上化を図ることができるようにした運搬車両のサスペンション装置を提供することにある。
【００１８】
さらに、本発明の別の目的は、車両の発進・加速時または減速時における車体の前，後方向の揺れ（スクワットまたはノーズダイブ）を良好に減衰することができ、乗り心地の向上化を図ることができるようにした運搬車両のサスペンション装置を提供することにある。
【課題を解決するための手段】
【００１９】
上述した課題を解決するため本発明は、左，右の前車輪、左，右の後車輪によって自走可能となり運搬対象物を積載する荷台が設けられた車体と、前記各車輪と該車体との間にそれぞれ設けられ各車輪上で該車体を懸架する複数のサスペンションシリンダと、該各サスペンションシリンダ毎にそれぞれ設けられ内部に蓄圧した油液を該各サスペンションシリンダの油室に給排する複数のアキュムレータと、該各アキュムレータと各サスペンションシリンダとの間にそれぞれ設けられ各サスペンションシリンダの油室に給排する油液の流量を可変に制御する複数の流量制御弁とからなる運搬車両のサスペンション装置に適用される。
【００２０】
そして、請求項１の発明が採用する構成の特徴は、前記サスペンションシリンダに設けられ前記油室内の圧力を検出する圧力検出手段と、前記サスペンションシリンダに設けられ前記油室に給排される油液の温度を検出する油温検出手段と、前記圧力検出手段および油温検出手段からの検出信号に従って前記流量制御弁の開度を可変に制御する制御手段とを備える構成としたことにある。
【００２１】
また、請求項２の発明によると、前記圧力検出手段および油温検出手段は、左，右の車輪側に位置する左，右のサスペンションシリンダ毎にそれぞれ設け、前記制御手段は、前記各圧力検出手段および各油温検出手段からの検出信号に従って前記各流量制御弁を個別に切換制御する構成としている。
【００２２】
また、請求項３の発明によると、前記制御手段は、左，右のサスペンションシリンダ間の圧力差を前記各圧力検出手段から読込み、この圧力差が既定の圧力差よりも大きいときには前記流量制御弁を閉弁し、既定の圧力差よりも小さいときには前記各油温検出器で検出した油液の温度を基準温度と比較し、その比較結果に従って前記流量制御弁の開度を変えると共に前記油室内の圧力に基づいて決められた開度となるように制御する構成としている。
【００２３】
一方、請求項４の発明は、前記車体の前，後方向の加速度を検出する加速度検出手段を備え、前記圧力検出手段および油温検出手段は、前車輪，後車輪側のサスペンションシリンダ毎にそれぞれ設け、前記制御手段は、前記加速度検出手段、各圧力検出手段および各油温検出手段からの検出信号に従って前記各流量制御弁を個別に切換制御する構成としている。
【００２４】
また、請求項５の発明によると、前記制御手段は、前記加速度検出手段から読込んだ前，後方向の加速度が既定の加速度よりも大きいときに車両の発進，加速時と判定し、この発進，加速時には、前，後のサスペンションシリンダのうち後輪側に位置する油温検出器で検出した油液の温度を基準温度と比較し、その比較結果に従って後輪側の流量制御弁の開度を変えると共に前記後輪側のサスペンションシリンダの油室内圧力に基づいて決められた開度となるように制御する構成としている。
【００２５】
さらに、請求項６の発明によると、前記制御手段は、前記加速度検出手段から読込んだ前，後方向の加速度が他の既定の加速度よりも小さいときに車両の減速時と判定し、この減速時には、前，後のサスペンションシリンダのうち前輪側に位置する油温検出器で検出した油液の温度を基準温度と比較し、その比較結果に従って前輪側の流量制御弁の開度を変えると共に前記前輪側のサスペンションシリンダの油室内圧力に基づいて決められた開度となるように制御する構成としている。
【発明の効果】
【００２６】
上述の如く、請求項１に記載の発明によれば、サスペンションシリンダ（油室）内の圧力を圧力検出手段で検出すると共に、サスペンションシリンダの油室に給排される油液の温度を油温検出手段で検出し、制御手段は前記圧力検出手段および油温検出手段からの検出信号に従って流量制御弁の開度を可変に制御する構成としているので、前記油液の温度が上昇するに伴って油液の粘性が下がるようなときには、流量制御弁の開度を小さく制御することにより、油液の絞り抵抗が油温に応じて変動するの抑えることができる。また、逆に油液の温度が低下して粘性が高くなるような場合には、流量制御弁の開度を大きくするように制御することにより、油液の絞り抵抗が油温に応じて変動するの抑えることができる。そして、圧力検出手段で検出したサスペンションシリンダ（油室）内の圧力が増減するときにも、これに応じて流量制御弁の開度を可変に制御することにより、例えば車両の加速度変化、積載重量の変化等に対応した適正な振動緩衝作用、減衰力特性等を得ることができる。
【００２７】
従って、サスペンションシリンダ内の油液温度を油温検出手段で検出し監視すると共に、油室内の圧力変化を圧力検出手段で検出し監視することにより、流量制御弁の開度制御を適正に行うことができ、車両走行時の振動を安定して緩衝できると共に、振動を早期に減衰して車両の乗り心地を向上することができる。
【００２８】
また、請求項２に記載の発明は、圧力検出手段と油温検出手段とを、左，右の車輪側に位置する左，右のサスペンションシリンダ毎にそれぞれ設ける構成としているので、油液の温度変化に拘わらず、左，右のサスペンションシリンダ間で安定した振動緩衝作用を得ることができ、車両の走行時における左，右方向の揺れ（ローリング）を良好に減衰し、乗り心地の向上化を図ることができる。
【００２９】
この場合、請求項３に記載の発明は、上述の如き構成を採用することにより、左，右のサスペンションシリンダ間の圧力差を各圧力検出手段から読込み、この圧力差が既定の圧力差よりも大きいときには、左，右の流量制御弁を全て閉弁することによって、左，右のサスペンションシリンダをロック状態に保持することができ、車両のローリングを抑えることができる。また、前記圧力差が既定の圧力差よりも小さいときには、各油温検出器で検出した油液の温度を基準温度と比較し、その比較結果に従って各流量制御弁の開度を可変に制御することができると共に、このときの開度を左，右のサスペンションシリンダ（油室）内の圧力に基づいて決められた開度となるように制御することができ、これにより、車両のローリングを良好に減衰することができる。
【００３０】
一方、請求項４に記載の発明は、車体の前，後方向の加速度を検出する加速度検出手段を備え、圧力検出手段と油温検出手段とを、前車輪，後車輪側のサスペンションシリンダ毎にそれぞれ設ける構成としているので、油液の温度変化に拘わらず、前，後のサスペンションシリンダ間で安定した振動緩衝作用を得ることができ、車両の発進・加速時または減速時における車体の前，後方向の揺れ（スクワットまたはノーズダイブ）を良好に減衰し、乗り心地の向上化を図ることができる。
【００３１】
この場合、請求項５に記載の発明は、上述の如き構成を採用することにより、加速度検出手段から読込んだ前，後方向の加速度が既定の加速度よりも大きいときには、これを車両の発進，加速時として判別することができる。そして、車両の発進，加速時には、前，後のサスペンションシリンダのうち後輪側の油温検出器で検出した油液の温度を基準温度と比較し、その比較結果に従って後輪側の流量制御弁の開度を可変に制御することができると共に、このときの開度を後輪側のサスペンションシリンダ（油室）内の圧力に基づいて決められた開度となるように制御することができ、これにより、後輪側の沈み込みを抑えて車両のスクワット（前輪側の浮上がり）を良好に減衰することができる。
【００３２】
また、請求項６に記載の発明は、上述の如き構成を採用することにより、加速度検出手段から読込んだ前，後方向の加速度が他の既定の加速度より小さいときには、これを車両の減速（停車操作）時として判別することができる。そして、車両の減速時には、前，後のサスペンションシリンダのうち前輪側の油温検出器で検出した油液の温度を基準温度と比較し、その比較結果に従って前輪側の流量制御弁の開度を可変に制御することができると共に、このときの開度を前輪側のサスペンションシリンダ（油室）内の圧力に基づいて決められた開度となるように制御することができ、これにより、車両のノーズダイブ（前輪側の沈み込み）を良好に減衰することができる。
【発明を実施するための最良の形態】
【００３３】
以下、本発明の実施の形態による運搬車両のサスペンション装置を、鉱山等で採掘した砕石物等を運搬するダンプトラックに適用した場合を例に挙げ、添付図面に従って詳細に説明する。
【００３４】
ここで、図１ないし図８は本発明の第１の実施の形態を示している。図中、１は大型の運搬車両であるダンプトラックで、該ダンプトラック１は、図１、図２に示すように頑丈なフレーム構造をなす車体２と、該車体２上に傾転（起伏）可能に搭載された荷台としてのベッセル３とにより大略構成されている。
【００３５】
そして、ベッセル３は、例えば砕石物等の重い運搬対象物（以下、砕石４という）を多量に積載するため全長が１０〜１３ｍ（メートル）にも及ぶ大型の容器として形成され、その後側底部が、車体２の後端側に連結ピン５等を介して傾転可能に連結されている。また、ベッセル３の前側上部には、後述のキャブ６を上側から覆う庇部３Ａが一体に設けられている。
【００３６】
即ち、ベッセル３の底部側は、車体２の後部側に連結ピン５を用いて回動可能に支持され、後述の起伏シリンダ２６を伸長または縮小させることにより、ベッセル３の前部側（庇部３Ａ側）は、連結ピン５を支点として上，下方向に回動（昇降）される。そして、ベッセル３に積載された多量の砕石４は、例えば所定の集荷場等に運搬され、べッセル３を起伏シリンダ２６で後方へと傾けたときに、ベッセル３から滑り落ちるように排出されるものである。
【００３７】
６は庇部３Ａの下側に位置して車体２の前部に設けられたキャブで、該キャブ６は、ダンプトラック１のオペレータが乗降する運転室を形成し、その内部には運転席、起動スイッチ、アクセルペダル、ブレーキペダル、操舵用のハンドル（いずれも図示せず）等が設けられている。
【００３８】
そして、ベッセル３の庇部３Ａは、キャブ６を上側からほぼ完全に覆うことにより、例えば岩石等の飛び石からキャブ６を保護すると共に、車両（ダンプトラック１）の転倒時等にもキャブ６内のオペレータを保護する機能を有しているものである。
【００３９】
７は車体２の前部側に回転可能に設けられた左，右の前車輪としての前輪（一方のみ図示）で、該前輪７は、ダンプトラック１のオペレータによって操舵（ステアリング操作）される操舵輪を構成するものである。そして、前輪７は後述の後輪９と同様に、例えば２〜４ｍに及ぶタイヤ径（外径寸法）をもって形成されている。
【００４０】
８Ｌ，８Ｒは車体２の前部と左，右の前輪７側との間に設けられた左，右の前輪側サスペンションシリンダ（以下、左，右の前懸架シリンダ８Ｌ，８Ｒという）を示している。該左，右の前懸架シリンダ８Ｌ，８Ｒは、例えば油圧シリンダ等を用いて構成され、車体２の前部側を左，右の前輪７上で懸架しつつ、車体２の上，下方向の振動を後述の如く緩衝するものである。
【００４１】
ここで、例えば前懸架シリンダ８Ｌは、図３に示すように円筒状のチューブ８ａと、該チューブ８ａ内を２つの油室Ａ，Ｂに画成するピストン８ｂと、一端側が該ピストン８ｂに固着され、他端側がチューブ８ａ外に突出したロッド８ｃとにより構成されている。そして、ロッド８ｃは、懸架ばね（図示せず）等を用いてチューブ８ａから常時伸長する方向に付勢されている。また、この場合のピストン８ｂには、チューブ８ａ内で油室Ａ，Ｂ間を常時連通した状態に保つ油穴（図示せず）が穿設されている。
【００４２】
そして、車両の振動等に伴ってロッド８ｃがチューブ８ａから上，下に伸縮するときには、チューブ８ａ内に収容される油液の量が、ロッド８ｃの伸縮に伴うチューブ８ａ内での容積変化（ロッド８ｃの進入体積の変化）によって増減される。即ち、前懸架シリンダ８Ｌ（チューブ８ａ）内に収容される油液は、ロッド８ｃが縮小方向に変位するときに後述のアキュムレータ１２Ｌに向けて排出され、ロッド８ｃが伸長方向に変位するときには、前懸架シリンダ８Ｌ（チューブ８ａ）内に向けてアキュムレータ１２Ｌ側から油液が供給（流入）されるものである。
【００４３】
なお、右側の前懸架シリンダ８Ｒ、後述する左，右の後懸架シリンダ１１Ｌ，１１Ｒについても、前述した左側の前懸架シリンダ８Ｌと同様に構成されるものである。このため、右側の前懸架シリンダ８Ｒおよび左，右の後懸架シリンダ１１Ｌ，１１Ｒについては、これ以上の説明を省略するものとする。
【００４４】
９，９は車体２の後部側に回転可能に設けられた左，右の後車輪（以下、後輪９という）で、該各後輪９は、図２に示すように夫々２個のタイヤ９Ａ，９Ａを用いて構成され、これらのタイヤ９Ａは、後輪側の車軸となる筒状のアクスルハウジング１０に回転可能に設けられている。
【００４５】
ここで、筒状のアクスルハウジング１０内には、例えば電動モータ等の回転源および減速機等を含んでなる左，右の走行駆動装置（いずれも図示せず）が設けられ、この走行駆動装置により、左，右の後輪９，９はそれぞれ独立して回転駆動される。そして、この場合の後輪９は、ダンプトラック１の駆動輪を構成するものである。
【００４６】
１１Ｌ，１１Ｒは車体２の後部と左，右の後輪９側との間に設けられた左，右の後輪側サスペンションシリンダ（以下、左，右の後懸架シリンダ１１Ｌ，１１Ｒという）を示している。該左，右の後懸架シリンダ１１Ｌ，１１Ｒは、図２に示すように、筒状のアクスルハウジング１０と車体２の後部との間に左，右方向の間隔Ｌをもって配設されている。
【００４７】
即ち、左，右の後懸架シリンダ１１Ｌ，１１Ｒは、図２に示す如く左，右のタイヤ９Ａ，９Ａの間となる位置に配置されるため、その間隔Ｌは、車体２の横幅寸法Ｗ（車幅）に比較して、例えば１／６〜１／４程度の寸法に設定されるものである。そして、左，右の後懸架シリンダ１１Ｌ，１１Ｒは、図３に示すように油圧シリンダにより構成され、車体２の後部側をアクスルハウジング１０（左，右の後輪９）上で懸架しつつ、上，下方向の振動を緩衝するものである。
【００４８】
１２Ｌ，１２Ｒは左，右の前懸架シリンダ８Ｌ，８Ｒに接続して設けられた左，右の前輪側アキュムレータで、該アキュムレータ１２Ｌ，１２Ｒは、図３に示すように管路１３Ｌ，１３Ｒを介して左，右の前懸架シリンダ８Ｌ，８Ｒに接続されている。そして、アキュムレータ１２Ｌ，１２Ｒは、内部に油液（圧油）を蓄圧状態で収容し、この圧油を前懸架シリンダ８Ｌ，８Ｒの伸縮動作に応じて、例えば油室Ａに補給するように給排するものである。
【００４９】
１４Ｌ，１４Ｒは管路１３Ｌ，１３Ｒの途中に設けられた前輪側の流量制御弁で、該流量制御弁１４Ｌ，１４Ｒは、例えば比例ソレノイド弁等を用いて構成され、左，右の前懸架シリンダ８Ｌ，８Ｒとアキュムレータ１２Ｌ，１２Ｒとの間に配置されている。そして、流量制御弁１４Ｌ，１４Ｒの開度は、後述する制御装置２２からの制御信号（電流値、周波数等）に応じて増減され、これにより、左，右の前懸架シリンダ８Ｌ，８Ｒに給排される圧油（油液）の流量が可変に制御されるものである。
【００５０】
ここで、流量制御弁１４Ｌ，１４Ｒは、前懸架シリンダ８Ｌ，８Ｒが上，下に伸縮動作するときに例えば油室Ａとアキュムレータ１２Ｌ，１２Ｒとの間を管路１３Ｌ，１３Ｒを介して流通する油液に対し、その開度に応じた絞り作用を与えて振動緩衝用の減衰力を発生する。そして、このときの減衰力は、流量制御弁１４Ｌ，１４Ｒの開度を小さくするに応じて漸次増大されるものである。
【００５１】
１５Ｌ，１５Ｒは左，右の後懸架シリンダ１１Ｌ，１１Ｒに接続して設けられた左，右の後輪側アキュムレータで、該アキュムレータ１５Ｌ，１５Ｒは、図３に示すように管路１６Ｌ，１６Ｒを介して左，右の後懸架シリンダ１１Ｌ，１１Ｒに接続されている。そして、アキュムレータ１５Ｌ，１５Ｒは、内部に油液（圧油）を蓄圧状態で収容し、この圧油を後懸架シリンダ１１Ｌ，１１Ｒの伸縮動作に応じて、例えば油室Ａに補給するように給排するものである。
【００５２】
１７Ｌ，１７Ｒは管路１６Ｌ，１６Ｒの途中に設けられた後輪側の流量制御弁で、該流量制御弁１７Ｌ，１７Ｒは、例えば比例ソレノイド弁等を用いて構成され、左，右の後懸架シリンダ１１Ｌ，１１Ｒとアキュムレータ１５Ｌ，１５Ｒとの間に配置されている。そして、流量制御弁１７Ｌ，１７Ｒの開度は、後述する制御装置２２からの制御信号に応じて増減され、これにより、左，右の後懸架シリンダ１１Ｌ，１１Ｒに給排される圧油（油液）の流量が可変に制御される。また、このときに流量制御弁１７Ｌ，１７Ｒは、油液の絞り作用に応じた振動緩衝用の減衰力を発生するものである。
【００５３】
１８Ｌ，１８Ｒは左，右の前懸架シリンダ８Ｌ，８Ｒ毎に設けられた圧力検出手段としての前輪側の圧力センサで、該左，右の圧力センサ１８Ｌ，１８Ｒは、前懸架シリンダ８Ｌ，８Ｒ（例えば、油室Ａ）内の油室圧力Ｐa (または、前輪側での左，右の油室圧力ＰL ，ＰR )を検出し、その検出信号を後述の制御装置２２に出力するものである。
【００５４】
１９Ｌ，１９Ｒは左，右の後懸架シリンダ１１Ｌ，１１Ｒ毎に設けられた圧力検出手段としての後輪側の圧力センサで、該左，右の圧力センサ１９Ｌ，１９Ｒは、後懸架シリンダ１１Ｌ，１１Ｒ（例えば、油室Ａ）内の油室圧力Ｐb (または、後輪側での左，右の油室圧力ＰL ，ＰR )を検出し、その検出信号を後述の制御装置２２に出力するものである。
【００５５】
２０Ｌ，２０Ｒは左，右の前懸架シリンダ８Ｌ，８Ｒ毎に設けられた油温検出手段としての前輪側の温度センサで、該左，右の温度センサ２０Ｌ，２０Ｒは、前懸架シリンダ８Ｌ，８Ｒ（油室Ａ，Ｂ）内に収容した油液の温度Ｔを検出し、その検出信号を後述の制御装置２２に出力するものである。
【００５６】
２１Ｌ，２１Ｒは左，右の後懸架シリンダ１１Ｌ，１１Ｒ毎に設けられた油温検出手段としての後輪側の温度センサで、該左，右の温度センサ２１Ｌ，２１Ｒは、後懸架シリンダ１１Ｌ，１１Ｒ（油室Ａ，Ｂ）内に収容した油液の温度Ｔを検出し、その検出信号を後述の制御装置２２に出力するものである。
【００５７】
２２はマイクロコンピュータ等からなる制御手段としての制御装置で、該制御装置２２は、その入力側が圧力センサ１８Ｌ，１８Ｒ，１９Ｌ，１９Ｒ、温度センサ２０Ｌ，２０Ｒ，２１Ｌ，２１Ｒおよび加速度検出手段としての加速度センサ２３等に接続され、その出力側は流量制御弁１４Ｌ，１４Ｒ，１７Ｌ，１７Ｒ等に接続されている。加速度センサ２３は、ダンプトラック１のキャブ６（図１参照）等に設けられ、車体２の前，後方向の加速度αを検出するものである。
【００５８】
また、制御装置２２は、ＲＯＭ，ＲＡＭ等からなる記憶部２２Ａを有し、該記憶部２２Ａ内には、後述の図４〜図７に示す処理プログラムと、後述する既定の加速度αa ，αb （αa は正の加速度、αb は負の加速度）、基準温度Ｔr （例えば、Ｔr ＝４０〜８０℃）、既定の圧力差Ｐc （例えば、Ｐc ＝０．１〜０．３ＭＰa ）と、図８に特性線２４，２５として例示した開度制御用の特性Ａ，Ｂ等とが格納されている。
【００５９】
ここで、図８中に特性線２４として示す特性Ａは、油液の温度Ｔが基準温度Ｔr よりも低い場合に、流量制御弁１４Ｌ，１４Ｒ，１７Ｌ，１７Ｒの開度を油室圧力（例えば、油室圧力Ｐa ，Ｐb ,ＰL ，ＰR のいずれか）に応じて制御するための制御特性を示している。また、特性線２５として示す特性Ｂは、油液の温度Ｔが基準温度Ｔr 以上となった場合の同様な制御特性を示している。
【００６０】
そして、制御装置２２は、ダンプトラック１の前懸架シリンダ８Ｌ，８Ｒ，後懸架シリンダ１１Ｌ，１１Ｒ毎に設けられた流量制御弁１４Ｌ，１４Ｒ，１７Ｌ，１７Ｒの開，閉制御（開度の可変制御を含む）を、発進・加速時の制御処理、減速時の制御処理および定常時の制御処理等として図４〜図７に示すプログラムに従って後述の如く実行するものである。
【００６１】
２６は車体２とベッセル３との間に伸縮可能に設けられた一対の起伏シリンダ（図１中に一方のみ図示）で、該起伏シリンダ２６は、前輪７と後輪９との間に位置して車体２の左，右両側に配設されている。そして、起伏シリンダ２６は、外部から圧油が給排されることにより上，下方向に伸縮し、後部側の連結ピン５を中心にしてベッセル３を起伏（傾転）させるものである。
【００６２】
２７は作動油タンクで、該作動油タンク２７は、図１に示すようにベッセル３の下方に位置して車体２の側面等に取付けられている。そして、作動油タンク２７内に収容した作動油は、油圧ポンプにより圧油となって起伏シリンダ２６およびパワーステアリング用の操舵シリンダ等に給排されるものである。
【００６３】
本実施の形態によるダンプトラック１は、上述の如き構成を有するもので、次に、その作動について説明する。
【００６４】
まず、キャブ６内に乗込んだオペレータが、原動機となるエンジンを起動しアクセルペダル等を踏込み操作すると、例えば駆動輪となる後輪９が前記走行駆動装置により回転駆動され、ダンプトラック１は前進方向（または後進方向）に走行駆動される。また、キャブ６内のオペレータが操舵用のハンドルを操作することにより、ダンプトラック１は右方向または左方向にステアリング操作（操舵）される。
【００６５】
そして、例えば鉱山等の砕石場では、ダンプトラック１を所定位置に停車した状態で、大型の油圧ショベル等（図示せず）を用いて運搬対象の砕石４をベッセル３上に積載する。このとき、左，右の前懸架シリンダ８Ｌ，８Ｒと後懸架シリンダ１１Ｌ，１１Ｒは、図４中のステップ１に示す如く流量制御弁１４Ｌ，１４Ｒ，１７Ｌ，１７Ｒが全て閉弁されることによりロック状態におかれる。
【００６６】
即ち、ダンプトラック１を駐車、停車している状態では、前懸架シリンダ８Ｌ，８Ｒと後懸架シリンダ１１Ｌ，１１Ｒとを全てロックして伸縮動作を規制することにより、砕石４等の積荷作業にダンプトラック１の車体２が前，後方向または左，右方向等に傾いてしまうのを防止するものである。
【００６７】
次に、このような積荷作業が完了した後には、ダンプトラック１は走行駆動され、ベッセル３上に砕石４等を多量に積載した状態で集荷場等に向けて運搬、搬送する。そして、集荷場等においては、キャブ６内のオペレータが、操作レバー等を傾転操作することにより、起伏シリンダ２６が伸長してベッセル３を斜め後方へと傾斜させるように持上げる。
【００６８】
このとき、ダンプトラック１は、ベッセル３が連結ピン５を支点として斜め後方に傾斜した姿勢を保つことにより、ベッセル３内の砕石４等を下方へと滑り落とすように集荷場に向けて排出することができる。そして、このような停車時にも、全ての懸架シリンダ８Ｌ，８Ｒ，１１Ｌ，１１Ｒをロック状態として、車両を安定した姿勢に保つものである。
【００６９】
また、砕石４等の排出が終了すると、オペレータが前記操作レバーを逆向きに傾転操作することにより、起伏シリンダ２６は、ベッセル３の自重による落下を許すように縮小し、ベッセル３を図１に示す初期位置へと倒伏させて車体２上に着座させる。そして、ダンプトラック１は、ベッセル３が図１に示す如く車体２上に着座した状態で、アクセルペダルの踏込み操作により前進または後進方向に走行駆動される。
【００７０】
ところで、鉱山の砕石場等を走行するダンプトラック１は、作業現場の路面に凹凸等が多い悪路条件下での走行を繰返すため、各懸架シリンダ８Ｌ，８Ｒ，１１Ｌ，１１Ｒの伸縮動作に伴って内部（例えば、油室Ａ，Ｂ）内の油液は、温度上昇し易くなり、これによって振動の緩衝作用が低下する虞れがある。
【００７１】
また、左，右の後輪９側では夫々２個のタイヤ９Ａ（図２参照）を用いているため、左，右の後懸架シリンダ１１Ｌ，１１Ｒ間の間隔Ｌが車体２の横幅寸法Ｗ（車幅）に比較して、例えば１／６〜１／４程度の寸法に設定されているため、車両の後輪９側では左，右方向の揺れ（ローリング）を左，右の後懸架シリンダ１１Ｌ，１１Ｒにより緩衝・吸収するのが難しくなっている。
【００７２】
さらに、ダンプトラック１は、車体２のフレーム上に設けたベッセル３に砕石４等の運搬対象物を多量に積載するので、車両の重心が高くなる傾向があり、前，後輪７，９間の間隔(ホイールベース)も相対的には短くなっている。これにより、車両の発進・加速時には、車両の前輪側が浮上がる現象（所謂スクワットと呼ばれる現象）が発生し易く、車両の減速・急停車時には、車両の前輪側が沈み込む現象（所謂ノーズダイブと呼ばれる現象）が発生し易いものである。
【００７３】
そこで、本実施の形態では、このような問題を解消するために、ダンプトラック１の前懸架シリンダ８Ｌ，８Ｒ，後懸架シリンダ１１Ｌ，１１Ｒ毎に設けられた流量制御弁１４Ｌ，１４Ｒ，１７Ｌ，１７Ｒの開，閉制御（開度の可変制御を含む）を、制御装置２２からの制御信号により図４〜図７に示す如く発進・加速時の制御処理、減速時の制御処理および定常時の制御処理等として実行するものである。
【００７４】
即ち、エンジン等の起動により図４に示す処理動作がスタートすると、ステップ１では、例えば図３中に示す各流量制御弁１４Ｌ，１４Ｒ，１７Ｌ，１７Ｒを全て閉弁し、左，右の前懸架シリンダ８Ｌ，８Ｒ、後懸架シリンダ１１Ｌ，１１Ｒを共にロック状態とすることにより、例えば停車時における積荷作業等に伴って車両が荷物で傾いたりするのを防ぐ。
【００７５】
次に、ステップ２では、加速度センサ２３から車体２の前，後方向の加速度αを読込み、ステップ３では加速度αが既定の加速度αa （予め決められた正の加速度値）よりも大きいか否かを判定する。そして、ステップ３で「ＹＥＳ」と判定したときには、ダンプトラック１を発進させることにより、前，後方向の加速度αが大きくなっているか、または走行途中にアクセルを踏込んで加速操作が行われた場合と判断することができる。
【００７６】
そこで、この場合には次なるステップ４に移って、発進・加速時の制御処理を図５に示すステップ１１〜１７に従って後述の如く行う。そして、その後は図４に示すステップ８に移って車両が停止しているか否かを判定し、「ＮＯ」と判定する間は、ステップ２以降の処理を繰返すようにする。
【００７７】
一方、前記ステップ３で「ＮＯ」と判定したときには、前，後方向の加速度αが既定の加速度αa以下まで低下し、ダンプトラック１（車両）は走行速度がほぼ一定の定常走行時か、またはブレーキ等の制動操作が行われて減速途中にあると判断することができる。
【００７８】
そこで、次なるステップ５では、車体２の加速度αが他の既定の加速度αb （予め決められた負の加速度値）よりも小さいか否かを判定する。そして、ステップ５で「ＹＥＳ」と判定したときには、ダンプトラック１がブレーキ操作等で減速されている判断できるので、この場合には次なるステップ６に移って、減速時の制御処理を図６に示すステップ２１〜２７に従って後述の如く行う。
【００７９】
そして、その後は図４に示すステップ８で、車両が停止しているか否かを判定し、「ＹＥＳ」と判定したときには、ステップ９に移ってリターンする。また、ステップ８で「ＮＯ」と判定する間は、前述したステップ２の処理に戻り、これ以降の処理を繰返すようにする。
【００８０】
一方、前記ステップ５で「ＮＯ」と判定したときには、車体２の加速度αが既定の加速度αa ，αb の範囲内（αa ≧α≧αb ）となり、車両は走行速度がほぼ一定の定常走行状態にあると判断することができる。そこで、この場合にはステップ７に移って、定常時の制御処理を図７に示すステップ３１〜４１に従って後述の如く行う。
【００８１】
次に、車両の発進・加速時の制御処理について、図５を参照して詳述すると、ステップ１１では、左，右の後懸架シリンダ１１Ｌ，１１Ｒに付設した圧力センサ１９Ｌ，１９Ｒと温度センサ２１Ｌ，２１Ｒとから後輪側の油室圧力Ｐb と油液の温度Ｔとを読込む。
【００８２】
次に、ステップ１２では、後輪側の温度Ｔが基準温度Ｔr （例えば、Ｔr ＝４０〜８０℃）よりも低いか否かを判定し、「ＹＥＳ」と判定するときには、次なるステップ１３に移って、後述の特性Ａによる制御が行われているか否かを判定する。そして、ステップ１３で「ＹＥＳ」と判定するときには、前記ステップ１１以降の処理を繰返すようにする。
【００８３】
一方、ステップ１３で「ＮＯ」と判定するときには、次なるステップ１４に移って後輪側の流量制御弁１７Ｌ，１７Ｒの開度を、図８中の特性線２４による特性Ａに沿って可変に制御する。即ち、この場合には、前記ステップ１１で読込んだ後輪側の油室圧力Ｐb に基づき、これに対応した流量制御弁１７Ｌ，１７Ｒの開度を特性線２４（特性Ａ）から演算等により求め、実際の開度が演算結果に一致するように流量制御弁１７Ｌ，１７Ｒを可変に制御する。
【００８４】
この結果、車両の発進・加速に伴って前輪側が浮上り、後輪側に沈み込むように変位し、所謂スクワットと呼ばれる現象が生じようとするときには、後輪側の油室圧力Ｐb が増大するに応じて流量制御弁１７Ｌ，１７Ｒの開度を、特性線２４（特性Ａ）の如く漸次小さくするように制御することができ、このときに流量制御弁１７Ｌ，１７Ｒを流通する油液の絞り抵抗により、左，右の後懸架シリンダ１１Ｌ，１１Ｒを硬めにし、減衰力特性が大きくなるように調整することができる。そして、その後はステップ１５でリターンする。
【００８５】
また、このような発進・加速時には、左，右の前懸架シリンダ８Ｌ，８Ｒについても、左，右の流量制御弁１４Ｌ，１４Ｒの開度を、前輪側の油室圧力Ｐa に基づいて図８中に示す特性線２４（特性Ａ）の如く可変に制御する構成としてもよく、あるいは、前輪側では左，右の流量制御弁１４Ｌ，１４Ｒを閉弁状態に保持する構成としてもよい。
【００８６】
次に、ステップ１２で「ＮＯ」と判定するときには、後輪側の温度Ｔが基準温度Ｔr 以上まで高くなっているので、この場合にはステップ１６に移って、後述の特性Ｂによる制御が行われているか否かを判定する。そして、ステップ１６で「ＹＥＳ」と判定するときには、前記ステップ１１以降の処理を繰返すようにする。
【００８７】
一方、ステップ１６で「ＮＯ」と判定するときには、次なるステップ１７に移って後輪側の流量制御弁１７Ｌ，１７Ｒの開度を、図８中の特性線２５による特性Ｂに沿って可変に制御する。そして、この場合には、前記ステップ１１で読込んだ後輪側の油室圧力Ｐb に基づき、これに対応した流量制御弁１７Ｌ，１７Ｒの開度を特性線２５（特性Ｂ）から演算等により求め、実際の開度が演算結果に一致するように流量制御弁１７Ｌ，１７Ｒを可変に制御する。
【００８８】
この結果、車両の発進・加速に伴ったスクワット現象で、前輪側が浮上り、後輪側に沈み込むように変位するときには、後輪側の油室圧力Ｐb が増大するに応じて流量制御弁１７Ｌ，１７Ｒの開度を、特性線２５（特性Ｂ）の如く漸次小さくするように制御することができ、左，右の後懸架シリンダ１１Ｌ，１１Ｒを、油液の絞り抵抗で特性Ａよりも一層硬めに、大なる減衰力特性をもって調整することができる。そして、その後はステップ１５でリターンする。
【００８９】
また、このような発進・加速時には、左，右の前懸架シリンダ８Ｌ，８Ｒについても、左，右の流量制御弁１４Ｌ，１４Ｒの開度を、前輪側の油室圧力Ｐa に基づいて図８中に示す特性線２５（特性Ｂ）の如く可変に制御する構成としてもよく、あるいは、前輪側では左，右の流量制御弁１４Ｌ，１４Ｒを閉弁状態に保持する構成としてもよい。
【００９０】
次に、図６に示す車両の減速時の制御処理について説明すると、ステップ２１では、左，右の前懸架シリンダ８Ｌ，８Ｒに付設した圧力センサ１８Ｌ，１８Ｒと温度センサ２０Ｌ，２０Ｒとから前輪側の油室圧力Ｐa と油液の温度Ｔとを読込む。
【００９１】
次に、ステップ２２では、前輪側の温度Ｔが基準温度Ｔr よりも低いか否かを判定し、「ＹＥＳ」と判定するときには、次なるステップ２３に移り、特性Ａによる制御が行われているか否かを判定する。そして、ステップ２３で「ＹＥＳ」と判定するときには、前記ステップ２１以降の処理を繰返すようにする。
【００９２】
一方、ステップ２３で「ＮＯ」と判定するときには、次なるステップ２４に移って前輪側の流量制御弁１４Ｌ，１４Ｒの開度を、図８中の特性線２４による特性Ａに沿って可変に制御する。即ち、この場合には、前記ステップ２１で読込んだ前輪側の油室圧力Ｐa に基づき、これに対応した流量制御弁１４Ｌ，１４Ｒの開度を特性線２４（特性Ａ）から演算等により求め、実際の開度が演算結果に一致するように流量制御弁１４Ｌ，１４Ｒを可変に制御する。
【００９３】
この結果、車両の減速に伴って前輪側が沈み込むように変位し、所謂ノーズダイブと呼ばれる現象が生じようとするときには、前輪側の油室圧力Ｐa が増大するに応じて流量制御弁１４Ｌ，１４Ｒの開度を、特性線２４（特性Ａ）の如く漸次小さくするように制御することができ、このときに流量制御弁１４Ｌ，１４Ｒを流通する油液の絞り抵抗により、左，右の前懸架シリンダ８Ｌ，８Ｒを硬めにし、減衰力特性を大きくするように調整することができる。そして、その後はステップ２５でリターンする。
【００９４】
次に、ステップ２２で「ＮＯ」と判定するときには、前輪側の温度Ｔが基準温度Ｔr 以上まで高くなっているので、この場合にはステップ２６に移って、特性Ｂによる制御が行われているか否かを判定する。そして、ステップ２６で「ＹＥＳ」と判定するときには、前記ステップ２１以降の処理を繰返すようにする。
【００９５】
一方、ステップ２６で「ＮＯ」と判定するときには、次なるステップ２７に移って前輪側の流量制御弁１４Ｌ，１４Ｒの開度を、図８中の特性線２５による特性Ｂに沿って可変に制御する。そして、この場合には、前記ステップ２１で読込んだ前輪側の油室圧力Ｐa に基づき、これに対応した流量制御弁１４Ｌ，１４Ｒの開度を特性線２５（特性Ｂ）から演算等により求め、実際の開度が演算結果に一致するように流量制御弁１４Ｌ，１４Ｒを可変に制御する。
【００９６】
この結果、車両の減速に伴ったノーズダイブ現象で、前輪側が沈み込むように変位するときには、前輪側の油室圧力Ｐa が増大するに応じて流量制御弁１４Ｌ，１４Ｒの開度を、特性線２５（特性Ｂ）の如く漸次小さくするように制御することができ、左，右の前懸架シリンダ８Ｌ，８Ｒを油液の絞り抵抗で特性Ａよりも一層硬めに、大なる減衰力特性をもって調整することができる。そして、その後はステップ２５でリターンする。
【００９７】
また、このような車両の減速時には、左，右の後懸架シリンダ１１Ｌ，１１Ｒについても、左，右の流量制御弁１７Ｌ，１７Ｒの開度を、後輪側の油室圧力Ｐb に基づいて図８中に示す特性線２４，２５（特性Ａ，Ｂ）の如く可変に制御する構成としてもよく、あるいは、後輪側では左，右の流量制御弁１７Ｌ，１７Ｒを閉弁状態に保持する構成としてもよい。
【００９８】
次に、図７に示す定常時の制御処理について説明する。まず、ステップ３１では、後輪側の左，右の圧力センサ１９Ｌ，１９Ｒと温度センサ２１Ｌ，２１Ｒとから後輪側の左，右の油室圧力ＰL ，ＰR と油液の温度Ｔとを読込む。そして、ステップ３２では、下記の数１式により左，右の油室圧力ＰL ，ＰR 間の圧力差ΔＰを絶対値として演算する。
【００９９】
【数１】
2009023595.tif 000003
【０１００】
次に、ステップ３３では、数１式による圧力差ΔＰが既定の圧力差Ｐc （例えば、Ｐc ＝０．１〜０．３ＭＰa ）よりも小さいか否かを判定する。そして、ステップ３３で「ＮＯ」と判定するときには、例えば走行途中でのステアリング操作等により、車体２が左，右方向（横方向）の慣性力を受けて同方向に揺れ、左，右の後懸架シリンダ１１Ｌ，１１Ｒ間では、油室圧力ＰL ，ＰR の差（圧力差ΔＰ）が、既定の圧力差Ｐc 以上に大きくなっていると判断できる。
【０１０１】
そこで、この場合には、次なるステップ３４に移って、後輪側で左，右の流量制御弁１７Ｌ，１７Ｒが共に閉弁されているか否か、即ち左，右の後懸架シリンダ１１Ｌ，１１Ｒがロック状態にあるか否かを判定する。そして、ステップ３４で「ＹＥＳ」と判定するときには、前記ステップ３１以降の処理を繰返すようにする。
【０１０２】
一方、ステップ３４で「ＮＯ」と判定するときには、次なるステップ３５に移って左，右の流量制御弁１７Ｌ，１７Ｒを共に閉弁させ、左，右の後懸架シリンダ１１Ｌ，１１Ｒが共にロック状態となるように制御する。これにより、ダンプトラック１の車体２が後輪９側で左，右方向に揺れるローリング現象が、これ以上に大きくなるのを抑えることができ、車両のローリングを早期に規制することができる。そして、その後はステップ３９に移ってリターンする。
【０１０３】
一方、ステップ３３で「ＹＥＳ」と判定したときには、前記数１式による圧力差ΔＰが既定の圧力差Ｐc よりも小さく、前記ステアリング操作等に伴う横方向の慣性力を左，右の後懸架シリンダ１１Ｌ，１１Ｒの伸縮動作により緩衝または吸収可能であると判断することができる。
【０１０４】
そこで、この場合には、次なるステップ３６に移って、後輪側の温度Ｔが基準温度Ｔr よりも低いか否かを判定し、「ＹＥＳ」と判定するときには、次なるステップ３７に移って、特性Ａによる制御が行われているか否かを判定する。そして、ステップ３７で「ＹＥＳ」と判定するときには、前記ステップ３１以降の処理を繰返すようにする。
【０１０５】
一方、ステップ３７で「ＮＯ」と判定するときには、次なるステップ３８に移って左，右の流量制御弁１７Ｌ，１７Ｒの開度を、図８中の特性線２４による特性Ａに沿って可変に制御する。即ち、この場合には、前記ステップ３１で読込んだ左，右の油室圧力ＰL ，ＰR に基づき、これに対応した流量制御弁１７Ｌ，１７Ｒの開度を特性線２４（特性Ａ）から演算等により求め、実際の開度が演算結果に一致するように流量制御弁１７Ｌ，１７Ｒを可変に制御する。
【０１０６】
この結果、車両のステアリング操作等に伴って所謂ローリングと呼ばれる現象が生じるようなときには、左，右の油室圧力ＰL ，ＰR が増減するに応じて流量制御弁１７Ｌ，１７Ｒの開度を、特性線２４（特性Ａ）の如く制御することができ、車体２の後輪側が左，右方向に揺れるように変位するのを、左，右の後懸架シリンダ１１Ｌ，１１Ｒで緩衝、吸収することができる。そして、その後はステップ３９でリターンする。
【０１０７】
次に、ステップ３６で「ＮＯ」と判定するときには、後輪側の温度Ｔが基準温度Ｔr 以上まで高くなっているので、この場合にはステップ４０に移って、特性Ｂによる制御が行われているか否かを判定する。そして、ステップ４０で「ＹＥＳ」と判定するときには、前記ステップ３１以降の処理を繰返すようにする。
【０１０８】
一方、ステップ４０で「ＮＯ」と判定するときには、次なるステップ４１に移って後輪側の流量制御弁１７Ｌ，１７Ｒの開度を、図８中の特性線２５による特性Ｂに沿って可変に制御する。そして、この場合には、前記ステップ３１で読込んだ左，右の油室圧力ＰL ，ＰR に基づき、これに対応した流量制御弁１７Ｌ，１７Ｒの開度を特性線２５（特性Ｂ）から演算等により求め、実際の開度が演算結果に一致するように流量制御弁１７Ｌ，１７Ｒを可変に制御する。
【０１０９】
この結果、車両のステアリング操作等に伴ったローリング現象で、左，右方向に揺れるように変位するときには、左，右の油室圧力ＰL ，ＰR が増減するに応じて流量制御弁１７Ｌ，１７Ｒの開度を、特性線２５（特性Ｂ）の如く制御することができ、左，右の後懸架シリンダ１１Ｌ，１１Ｒを、油液の絞り抵抗で特性Ａよりも一層硬めに、減衰力特性がより一層大きくなるように調整することができる。そして、その後はステップ２５でリターンする。
【０１１０】
また、このような定常時の制御処理は、左，右の後懸架シリンダ１１Ｌ，１１Ｒに限るものではなく、左，右の前懸架シリンダ８Ｌ，８Ｒについても、左，右の流量制御弁１４Ｌ，１４Ｒの開度を、左，右の圧力センサ１８Ｌ，１８Ｒによる油室圧力ＰL ，ＰR に基づいて図８中に示す特性線２４，２５（特性Ａ，Ｂ）の如く可変に制御する構成としてもよくことは勿論である。
【０１１１】
かくして、本実施の形態によれば、左，右の前懸架シリンダ８Ｌ，８Ｒ、左，右の後懸架シリンダ１１Ｌ，１１Ｒ内の油室圧力ＰL ，ＰR （または油室圧力Ｐa ，Ｐb ）を圧力センサ１８Ｌ，１８Ｒ，１９Ｌ，１９Ｒで検出すると共に、前懸架シリンダ８Ｌ，８Ｒ、後懸架シリンダ１１Ｌ，１１Ｒの油室Ａ等に給排される油液の温度を温度センサ２０Ｌ，２０Ｒ，２１Ｌ，２１Ｒで検出し、これらの温度センサ２０Ｌ，２０Ｒ，２１Ｌ，２１Ｒ、圧力センサ１８Ｌ，１８Ｒ，１９Ｌ，１９Ｒからの検出信号に従って、制御装置２２は流量制御弁１４Ｌ，１４Ｒ，１７Ｌ，１７Ｒの開度をそれぞれ独立して可変に制御する構成としている。
【０１１２】
このため、前懸架シリンダ８Ｌ，８Ｒ、後懸架シリンダ１１Ｌ，１１Ｒのそれぞれ毎に、前記油液の温度が上昇するに伴って油液の粘性が下がるようなときには、それぞれに対応した流量制御弁１４Ｌ，１４Ｒ，１７Ｌ，１７Ｒの開度を小さく制御することにより、油液の絞り抵抗が油温に応じて変動するの抑えることができる。また、逆に油液の温度が低下して粘性が高くなるような場合には、流量制御弁１４Ｌ，１４Ｒ，１７Ｌ，１７Ｒの開度を大きくするように制御することにより、油液の絞り抵抗が油温に応じて変動するの抑えることができる。
【０１１３】
そして、圧力センサ１８Ｌ，１８Ｒ，１９Ｌ，１９Ｒで検出した前懸架シリンダ８Ｌ，８Ｒ、後懸架シリンダ１１Ｌ，１１Ｒの油室圧力ＰL ，ＰR （または油室圧力Ｐa ，Ｐb ）が増減するときにも、これに応じて流量制御弁１４Ｌ，１４Ｒ，１７Ｌ，１７Ｒの開度を可変に制御することにより、例えば車両の加速度変化、積載重量の変化等に対応した適正な振動緩衝作用、減衰力特性等を得ることができる。
【０１１４】
従って、左，右の前懸架シリンダ８Ｌ，８Ｒ、左，右の後懸架シリンダ１１Ｌ，１１Ｒ内の油室圧力を検出して監視すると共に、それぞれの油液温度を検出して監視することにより、流量制御弁１４Ｌ，１４Ｒ，１７Ｌ，１７Ｒの開度制御を適正に行うことができ、車両走行時の振動を安定して緩衝できると共に、振動を早期に減衰して車両の乗り心地を向上することができる。
【０１１５】
そして、車両の定常走行時にステアリング操作等を行うような場合には、図７に示す定常時の制御処理を採用することにより、例えば左，右の後懸架シリンダ１１Ｌ，１１Ｒ内の油室圧力ＰL ，ＰR の圧力差ΔＰを圧力センサ１９Ｌ，１９Ｒからの検出信号を読込んで演算し、この圧力差ΔＰが既定の圧力差Ｐc よりも大きいときには、左，右の流量制御弁１７Ｌ，１７Ｒを全て閉弁することによって、左，右の後懸架シリンダ１１Ｌ，１１Ｒをロック状態に保持することができ、車両のローリングを抑えることができる。
【０１１６】
また、圧力差ΔＰが既定の圧力差Ｐc よりも小さいときには、左，右の温度センサ２１Ｌ，２１Ｒで検出した油液の温度Ｔを基準温度Ｔr と比較し、その比較結果に従って左，右の流量制御弁１７Ｌ，１７Ｒの開度を、例えば図８に示す特性線２４，２５（特性Ａ，Ｂ）のいずれかを選択しつつ、夫々の特性Ａ，Ｂ毎に左，右の油室圧力ＰL ，ＰR に基づいて決められた開度となるように制御することができ、これにより、車両の後輪９側における左，右方向の揺れを良好に減衰することができる。
【０１１７】
そして、車両の前輪７側においても、図７に示す定常時の制御処理を同様に行うことにより、左，右の後懸架シリンダ８Ｌ，８Ｒを必要に応じてロック状態に保持してローリングを抑えることができると共に、左，右の流量制御弁１４Ｌ，１４Ｒの開度を、図８に示す特性線２４，２５（特性Ａ，Ｂ）のいずれかの特性Ａ，Ｂ毎に、左，右の油室圧力ＰL ，ＰR に基づいて決められた開度となるように制御することができ、これにより、車両の前輪７側における左，右方向の揺れを良好に減衰することができる。
【０１１８】
また、加速度センサ２３から読込んだ前，後方向の加速度αが既定の加速度αa よりも大きいときには、これを車両の発進，加速時として判別することができる。そして、車両の発進，加速時には、図５に例示した発進・加速時の制御処理のように、後輪側の温度センサ２１Ｌ，２１Ｒで検出した油液の温度Ｔを基準温度Ｔr と比較し、その比較結果に従って後輪側の流量制御弁１７Ｌ，１７Ｒの開度を、図８に示す特性線２４，２５（特性Ａ，Ｂ）のいずれかを選択しつつ、夫々の特性Ａ，Ｂ毎に後輪側の油室圧力Ｐb に基づいて決められた開度となるように制御することができ、これにより、後輪側の沈み込みを抑えて車両のスクワット（前輪側の浮上がり）を良好に減衰することができる。
【０１１９】
一方、前，後方向の加速度αが他の既定の加速度αb より小さいときには、これを車両の減速（停車操作）時として判別することができる。そして、車両の減速時には、図６に例示した減速時の制御処理のように、前輪側の温度センサ２０Ｌ，２０Ｒで検出した油液の温度Ｔを基準温度Ｔr と比較し、その比較結果に従って前輪側の流量制御弁１４Ｌ，１４Ｒの開度を、図８に示す特性線２４，２５（特性Ａ，Ｂ）のいずれかを選択しつつ、夫々の特性Ａ，Ｂ毎に前輪側の油室圧力Ｐa に基づいて決められた開度となるように制御することができ、これにより、車両のノーズダイブ（前輪側の沈み込み）を良好に減衰することができる。
【０１２０】
従って、本実施の形態によれば、左，右の前懸架シリンダ８Ｌ，８Ｒ、左，右の後懸架シリンダ１１Ｌ，１１Ｒの油室等に給排される油液の温度Ｔを検出すると共に、各油室圧力ＰL ，ＰR （または油室圧力Ｐa ，Ｐb ）を検出して、前述した制御処理を実行することにより、車両走行時の振動を安定して緩衝することができ、乗り心地を向上することができる。
【０１２１】
なお、前記実施の形態では、温度センサ２０Ｌ，２０Ｒ，２１Ｌ，２１Ｒで検出した油液の温度Ｔを基準温度Ｔr と比較し、その比較結果に従って図８に示す特性線２４，２５（２段階の特性Ａ，Ｂ）のいずれかを選択する場合を例に挙げて説明した。しかし、本発明はこれに限るものではなく、例えば油液の温度Ｔを互いに異なる複数の基準温度と比較し、それぞれの比較結果に従って３段階以上の特性で流量制御弁の開度をより細かく制御する構成としてもよい。
【０１２２】
また、前記実施の形態では、油室圧力と流量制御弁の開度との関係を図８に示す特性線２４，２５のように、それぞれ直線状をなす特性Ａ，Ｂとする場合を例に挙げて説明した。しかし、本発明はこれに限るものではなく、例えば２次曲線または３次曲線等からなる曲線状の制御特性としてもよいものである。
【０１２３】
また、前記実施の形態では、サスペンション装置が適用される運搬車両として後輪駆動式のダンプトラック１を例に挙げて説明した。しかし、本発明はこれに限るものではなく、例えば前輪駆動式または前，後輪を共に駆動する４輪駆動式のダンプトラックに適用してもよい。さらに、ダンプトラック以外の運搬車両に適用してもよいものである。
【図面の簡単な説明】
【０１２４】
【図１】本発明の実施の形態によるサスペンション装置が設けられたダンプトラックを示す正面図である。
【図２】ダンプトラックを後方からみた図１の右側面図である。
【図３】左，右の前輪側サスペンションシリンダ、左，右の後輪側サスペンションシリンダ等を備えたサスペンション装置の制御回路図である。
【図４】図３中の制御装置によるサスペンションの制御処理を示す流れ図である。
【図５】発進・加速時の制御処理を示す流れ図である。
【図６】減速時の制御処理を示す流れ図である。
【図７】定常時の制御処理を示す流れ図である。
【図８】各サスペンションシリンダの油室圧力と流量制御弁の開度との関係を示す特性線図である。
【符号の説明】
【０１２５】
１  ダンプトラック（運搬車両）
２  車体
３  ベッセル（荷台）
４  砕石（運搬対象物）
５  連結ピン
６  キャブ
７  前輪（前車輪）
８Ｌ，８Ｒ  左，右の前懸架シリンダ（前輪側サスペンションシリンダ）
９  後輪（後車輪）
１０  アクスルハウジング（後輪側の車軸）
１１Ｌ，１１Ｒ  左，右の後懸架シリンダ（後輪側サスペンションシリンダ）
１２Ｌ，１２Ｒ  前輪側のアキュムレータ
１４Ｌ，１４Ｒ  前輪側の流量制御弁
１５Ｌ，１５Ｒ  後輪側のアキュムレータ
１７Ｌ，１７Ｒ  後輪側の流量制御弁
１８Ｌ，１８Ｒ  前輪側の圧力センサ（圧力検出手段）
１９Ｌ，１９Ｒ  後輪側の圧力センサ（圧力検出手段）
２０Ｌ，２０Ｒ  前輪側の温度センサ（油温検出手段）
２１Ｌ，２１Ｒ  後輪側の温度センサ（油温検出手段）
２２  制御装置（制御手段）
２３  加速度センサ（加速度検出手段）
２６  起伏シリンダ
２７  作動油タンク
【図１】
2009023595.tif 000004
【図２】
2009023595.tif 000005
【図３】
2009023595.tif 000006
【図４】
2009023595.tif 000007
【図５】
2009023595.tif 000008
【図６】
2009023595.tif 000009
【図７】
2009023595.tif 000010
【図８】
2009023595.tif 000011